(57)【要約】【課題】構造が簡単で、操作性に優れ、かつレンズユニットのフォーカス調整位置を確実にロックできるカメラヘッド３を提供すること。【解決手段】リング３１の突起３１ａとフロントハウジング２０内面との摩擦によってレンズユニット１２の自由な回動を制限し、レンズユニット１２のフォーカス調整位置をロックする。リング３１は全周がハウジング２０の内面に圧接するのではなくて、突起３１ａだけがハウジング２０内面に圧接いるので、レンズユニット１２の自由な回動は制限されるものの、レンズユニット１２を強制的に回動してフォーカス調整を行うことが可能となる。【選択図】図４
2009047872.tif 000002
【特許請求の範囲】
【請求項１】
ハウジングにレンズユニットを進退可能にねじ付け、回動操作によりレンズユニットを進退させてフォーカス調整を行うように構成したカメラヘッドであって、前記レンズユニットの外周面に、弾性材料からなり外周部に突部を形成したリングを装着し、前記突部を前記ハウジング内面に圧接したことを特徴とするカメラヘッド。
【請求項２】
前記突部を複数箇所に設けたことを特徴とする請求項１に記載のカメラヘッド。
【請求項３】
前記突部を前記リングの直径に関して線対称に配置したことを特徴とする請求項２に記載のカメラヘッド。
【請求項４】
前記レンズユニットの外周面にリング溝を形成し、該リング溝に前記リングを装着したことを特徴とする請求項１に記載のカメラヘッド。
【発明の詳細な説明】
【技術分野】
【０００１】
本発明はカメラヘッドに関し、より詳しくはハウジングにレンズユニットを進退可能にねじ付け、回動操作によりレンズユニットを進退させてフォーカス調整を行うように構成したカメラヘッドに関する。
【背景技術】
【０００２】
ビデオカメラの一形式として、カメラヘッドとカメラ本体をケーブルで接続し、カメラヘッド側にレンズユニットとＣＣＤを内蔵し、カメラ本体側に電源回路、映像処理回路、ＣＣＤ駆動回路等を内蔵したヘッド分離型カメラが実用に供されている。
【０００３】
この種のヘッド分離型カメラの用途の一つに、カメラヘッドを固定し、カメラヘッドから一定距離にある被写体を連続して撮影することがある。例えば、生産ラインの各種機器の作動や加工機におけるワークの加工状態を監視するため機器や加工機の近辺にカメラヘッドを固定し、機器やワークにフォーカス調整して使用される。
【０００４】
このような用途に供する場合、ハウジングにレンズユニットを進退可能にねじ付け、回動操作によりレンズユニットを進退させてフォーカス調整を行うように構成したカメラヘッドにあっては、レンズユニットを機器や加工機に合わせてフォーカス調整した後に、機器や加工機からカメラヘッドに伝わる振動でレンズユニットが僅かでも回動すると、先に行ったフォーカス調整が狂ってくる。そのため、この種のカメラヘッドにはレンズユニットのフォーカス調整位置をロックする手段を設けることが好ましい。
【特許文献１】引用なし
【発明の開示】
【発明が解決しようとする課題】
【０００５】
本発明は上記の事情に鑑みてなされたものであって、構造が簡単で、操作性に優れ、かつレンズユニットのフォーカス調整位置を確実にロックできるカメラヘッドを提供することを目的とする。
【課題を解決するための手段】
【０００６】
請求項１な記載の発明は、ハウジングにレンズユニットを進退可能にねじ付け、回動操作によりレンズユニットを進退させてフォーカス調整を行うように構成したカメラヘッドであって、前記レンズユニットの外周面に、弾性材料からなり外周部に突部を形成したリングを装着し、前記突部を前記ハウジング内面に圧接させたことを特徴とする。
【０００７】
請求項２に記載の発明は請求項１に記載のカメラヘッドにおいて、前記突部を複数箇所に設けたことを特徴とする。
【０００８】
請求項３に記載の発明は請求項２に記載のカメラヘッドにおいて、前記突部を前記リングの直径に関して線対称に配置したことを特徴とする。
【０００９】
請求項４に記載の発明は請求項１に記載のカメラヘッドにおいて、前記レンズユニットの外周面にリング溝を形成し、該リング溝に前記リングを装着したことを特徴とする。
【発明の効果】
【００１０】
請求項１に記載の発明によれば、リングの突部とハウジング内面との摩擦によってレンズユニットの自由な回動が制限されるので、レンズユニットのフォーカス調整位置をロックできる。一方、リングは全周がハウジング内面に圧接するのではなくて、突部だけがハウジング内面に圧接するので、レンズユニットの自由な回動は制限されるものの、レンズユニットを強制的に回動してフォーカス調整を行うことが可能となる。このようにリングに突部を設けてハウジング内面に圧接させただけの簡単な構造にもかかわらず、レンズユニットのフォーカス調整とフォーカス位置のロックが可能となる。
【００１１】
請求項２に記載の発明によれば、突部を複数箇所に設けたので、突部の個数と配置を適宜選択することにより、突部とハウジング内面間の摩擦力を、レンズユニットのフォーカス位置を確実にロックでき、かつレンズユニットのフォーカス調整時の強制回動時の操作感も良好となるように設定できる。
【００１２】
請求項３に記載の発明によれば、突部を線対象に配置したので、簡単な構造で、レンズユニットのロックの確実性を高め、かつ操作感もより向上する。
【００１３】
また、請求項４に記載の発明によれば、リングを確実にレンズユニット外周面に装着できる。
【実施例】
【００１４】
以下に、本発明の実施例について添付図面を参照して説明する。図１は本発明の実施例に係るカメラヘッドを備えたヘッド分離型カメラ装置１の斜視図、図２は同装置のブロック図、図３はカメラヘッドの断面図、図４はカメラヘッドの主要部の断面図、図５はカメラヘッドに装着されるリングの正面図、図６は同リングの断面図である。ヘッド分離型カメラ装置１は、コントロールユニット２とカメラヘッド３とから構成されている。カメラヘッド３は、入出力用ケーブル（以下、ケーブルという。）４によりコントロールユニット２と接続している。また、コントロールユニット２は図２のブロック図に示すように、撮像素子（以下、ＣＣＤという。）駆動回路、ＣＣＤ１３からの映像信号を処理する映像処理回路（１），（２）、ネットワーク処理回路及び電源回路等から構成されている。
【００１５】
カメラヘッド部３の主要構成部品は、リヤハウジング１１、フロントハウジング２０、フロントハウジング２０に収納されるレンズユニット１２、リヤハウジング１１に収納されるＣＣＤ１３である。リヤハウジング１１の後端部には、ケーブルホルダ１５が固定されている。ケーブルホルダ１５には、ケーブル４が挿通されて保持されている。リヤハウジング１１の後端部外周と該後端部から挿通されるケーブル４の一部に、ゴムスリーブ１６が被着されている。リヤハウジング１１の内部のケーブルホルダ１５の前側には、ＣＣＤ１３の基板ホルダ１７が固定されている。基板ホルダ１７には、ＣＣＤ１３の回路基板１８とＣＣＤ基板１９が取り付けられている。
【００１６】
上記リヤハウジング１１の前端部開口には、フロントハウジング２０が装着され前記基板ホルダ１７に固定されている。フロントハウジング２０にはＣＣＤ１３が保持されるとともに、光学水晶フィルタ２１がＣＣＤ１３の前方に取り付けられている。さらに、フロントハウジング２０のリヤハウジング１１の前端開口から突出する円筒部２２の内周には、雌ネジ２３が形成されている。該雌ネジ２３には、レンズユニット１２の後端部がねじ付けられ、回動操作により進退可能に取り付けられている。
【００１７】
そして、フロントハウジング２０の前端部外周には、キャップ２４が螺着されてレンズユニット１２の前端部を覆っている。キャップ２４の開口には前面ガラス２５が装着されている。
【００１８】
リヤハウジング１１とケーブルホルダ１５、フロントハウジング２０の接合部、フロントハウジング２０とキャップ２４との接合部及び該キャップ２４と前面ガラス２５との装着部には、それぞれＯリング２６，２７，２８，２９が嵌装されていて、カメラヘッド３の全体が防水されている。
【００１９】
図４に詳細を示すように、レンズユニット１２の中間外周部にはリング溝３０が全周にわたって形成され、該リング溝３０にリング３１が装着されている。リング３１は弾性材料から成り、図５及び図６に示すように外周部に８個の突起３１ａが等角度間隔で形成されている。また、リング３１の内周部の一端に突条３１ｂが全周にわたって形成されている。突起３１ａはリング３１の直径に関して線対象に配置されている。リング３１は突条３１ｂをリング溝３０に嵌合することによりレンズユニット１２に装着されている。リング３１の反突条側端部３１ｃはリング溝３０の外側でレンズユニット１２の外周部に接触し、突部３１ａはフロントハウジング２０の内面に接触している。また、リングの反突起側内周部と第２溝３０ｂ間にはスペースＳが形成されている。リング３１は弾性材料から成るので、突条３１ｂがリング溝３０の底面に圧接し、反突条側端部３１ｃはレンズユニット１２の外周部に圧接し、突起３１ａがフロントハウジング２０の内面に圧接している。
【００２０】
本実施例に係るカメラヘッド３の構造は以上の通りであって、キャップ２４及び前面ガラス２５を取り外し、フロントハウジング２０から露出したレンズユニット１２を回動操作し、雌ねじ２３に沿って進退させてフォーカス調整を行う。フォーカス調整後、再び前面ガラス２５とキャップ２４を取り付けて使用する。
【００２１】
本実施例に係るカメラヘッド３は、リング３１の突起３１ａとフロントハウジング２０内面との摩擦によってレンズユニット１２の自由な回動が制限されるので、レンズユニット１２のフォーカス調整位置をロックできる。一方、リング３１は全周がハウジング２０の内面に圧接するのではなくて、突起３１ａだけがハウジング２０内面に圧接し、レンズユニット１２の自由な回動は制限されるものの、レンズユニット１２を強制的に回動してフォーカス調整を行うことが可能となる。このようにリング３１に突起３１ａを設けてハウジング２０内面に圧接させただけの簡単な構造にもかかわらず、レンズユニット１２のフォーカス位置ロックとフォーカス位置調整が可能となる。
【００２２】
また、突起３１ａを複数箇所に設けるとともに線対象に配置したので、レンズユニット１２のフォーカス位置を確実にロックできる。
【００２３】
さらにまた、リング溝３０にリング３１を装着する構成を採用したので、リング３１を確実にレンズユニット１２の外周面に装着できる。とりわけ、リング溝３０の底面とリング３１間にスペースＳを形成したので、レンズユニット１２の強制回動操作時、リング３１が反フロントハウジング２０側に撓む余裕が生ずる。このため、回動時の操作感がより一層向上する。
【００２４】
なお、本実施例に係るカメラヘッド３はヘッド分離型カメラ１に適用した場合について説明したが、本発明はハウジングにレンズユニットを進退可能にねじ付け、回動操作によりレンズユニットを進退させてフォーカス調整を行うように構成したカメラヘッドであれば、通常の形態を有するカメラにも適用可能である。また、突部の一例として突起３１ａを形成したが、突起３１ａのようにフロントハウジング２０内周面との接触面積が少ない形態に限定されるものではなく、突条のように突起３１ａに比べて接触面積の大きなものを部分的に形成することも可能である。
【００２５】
また、カメラヘッド部３は、前面ガラス２５を装着したキャップ２４に代えて、単玉のコンバーションレンズを装着したキャップを、フロントハウジング２０の前端部外周に螺着することができる。この場合のコンバーションレンズは、凹レンズであり画角が広がり広角仕様のカメラヘッドとなる。コンバーションレンズの種類毎に装着したキャップを用意して、交換することにより、簡単にカメラヘッドを望遠等の仕様に変換することができる。
【図面の簡単な説明】
【００２６】
【図１】ヘッド分離型カメラ装置の斜視図である。
【図２】同、ブロック図である。
【図３】カメラヘッド部の断面図である。
【図４】カメラヘッドの要部の断面図である。
【図５】カメラヘッドに装着されるリングの正面図である。
【図６】同リングの断面図である。
【符号の説明】
【００２７】
１  ヘッド分離型カメラ装置
２  コントロールユニット
３  カメラヘッド部
１２  レンズユニット
２０  フロントハウジング
３０  リング溝
３１  リング
３１ａ  突起
３１ｂ  突条
Ｓ  スペース
【図１】
2009047872.tif 000003
【図２】
2009047872.tif 000004
【図３】
2009047872.tif 000005
【図４】
2009047872.tif 000006
【図５】
2009047872.tif 000007
【図６】
2009047872.tif 000008